(57)【要約】【課題】胴部並びに足部を太幅状並びに細幅状前身頃生地を介して一体的に形成すると共に、開閉自在とした前立部を脇部側に位置させて保温性を高め、且つおくるみの開閉並びに取り扱いを容易にし、更に胴部の両脇部に開口部を設けて手の出し入れを容易にしておくるみ内での乳幼児の身体の動きをより活発にできるようにしたものである。【解決手段】胴部及び一対の足部を太幅状並びに細幅状前身頃生地と後身頃生地により一体化形成して前身頃生地の前立部を脇部側に位置させて腹部の冷えを防止し、更に一対の足部の裾部を夫々袋状に縫着して保温性を高め、また開閉自在な前身頃生地の前立部を脇部側に位置させて前身頃生地の開閉をより簡単にできるようにし、更に胴部の両脇部に開口部を夫々設けて手の出し入れを容易にしておくるみ内での乳幼児の身体の動きをより活発にできるようにしたものである。【選択図】          図１
2004346465.tif 000002
【特許請求の範囲】
【請求項１】
フード、胴部及び足部を一体化形成してなるおくるみにおいて、胴部及び一対の足部を太幅状並びに細幅状前身頃生地と後身頃生地により一体化形成すると共に、太幅状前身頃生地を介して前身側胴部の一側部を形成し、且つ一方の前身側足部及び他方の前身側足部の一側部を夫々太幅状前身頃生地により形成し、また前身側胴部の他側部及び他方の足部における他側部を細幅状前身頃生地により形成し、更に一対の足部の裾部を夫々袋状に縫着すると共に、前身頃生地の前立部を開閉自在となるように構成したことを特徴とする乳幼児用おくるみ。
【請求項２】
胴部の両脇部に夫々開口部を設けてなる請求項１に記載の乳幼児用おくるみ。
【発明の詳細な説明】
【０００１】
【発明の属する技術分野】
本発明は、胴部並びに足部を太幅状並びに細幅状前身頃生地を介して一体的に形成すると共に、前立部を開閉自在にし、且つ胴部の両脇部に開口部を設けておくるみの開閉並びに取り扱いを容易にし、しかも手の出し入れを容易にして身体の動きを活発にできるようにした乳幼児のおくるみに関するものである。
【０００２】
【従来の技術】
従来は、例えば特開２００１−５５６０６号公報の如く胴部並びに足部を開閉自在にした乳児着衣について記載されている。
【０００３】
【発明が解決しようとする課題】
従って胴部並びに足部を開閉自在にした乳児着衣の場合は、乳児が活発に動ける反面、足部が常に開口状態にあるために保温性に欠ける点があり、また乳児着衣の取り扱いや開閉作業が煩わしいなどの欠点があった。
【０００４】
【課題を解決するための手段】
本発明では上記の課題を解決するために、フード、胴部及び足部を一体化形成してなるおくるみにおいて、胴部及び一対の足部を太幅状並びに細幅状前身頃生地と後身頃生地により一体化形成すると共に、太幅状前身頃生地を介して前身側胴部の一側部を形成し、且つ一方の前身側足部及び他方の前身側足部の一側部を夫々太幅状前身頃生地により形成し、また前身側胴部の他側部及び他方の足部における他側部を細幅状前身頃生地により形成し、更に一対の足部の裾部を夫々袋状に縫着すると共に前身頃生地の前立部を開閉自在となるように構成したので、おくるみの開閉並びに取り扱いが極めて容易となり、また開閉自在な前立部が胴部の脇部側に位置することにより、保温性が増して腹部の冷えが少なくなる効果が得られるのである。
【０００５】
更に足部を袋状にしたことにより、足先の冷えが防止され、保温性に富んだおくるみが得られ、また胴部の前身頃両脇部に開口部を設けて手の出し入れを容易にしたので、手の動きが自由になり、おくるみ内における乳幼児の身体の動きがより活発になり、乳幼児の発育促進に大きな効果が得られるのである。
【０００６】
【発明の実施の形態】
本発明におけるおくるみの実施例について、以下説明する。１はおくるみで、２は胴部、３はフード、５，６は夫々左側及び右側の足部、７は股部、８は股部用襠、１０、１１、１２は夫々胴部２及び足部５、６の前身頃生地並びに後身頃生地で、１３、１４は夫々胴部２及び一対の足部５、６における前身及び後身である。
【０００７】
尚、胴部２の前身１３側は、広幅状前身頃生地１０と細幅状前身頃生地１１で形成されるようにしてあり、また前身１３側の足部５、６において、足部５と足部６の１側の部位は広幅状前身頃生地１０で一体化形成されるようにしてあり、更に足部６の他側の部位を細幅状前身頃生地１１で形成されるようにしてある。
【０００８】
また胴部２及び足部５，６の夫々の脇部側において、広幅状前身頃生地１０と後身頃生地１２並びに細幅状前身頃生地１１と後身頃生地１２の夫々の脇部側を縫着（脇縫）１５、１６してあり、更に前身頃生地１０、１１及び後身頃生地１２の下方部側の周縁部を夫々一体的に袋状に縫着１７、１８して足部５、６及び股部７を形成するようにしてある。
【０００９】
２０、２１は夫々太幅及び細幅状前身頃生地１０、１１の前立部で、胴部２の脇部側に変位して位置しており、また同前立部２０、２１の裏面側には補強用テープ生地２５、２６を夫々適宜に縫着してあり、更に前記前立部２０、２１の下方部を互いに一体的に重合し、縫着２７して足部６を袋状に形成するようにしてある。また３０、３０・・は夫々前立部２０に設けた係止自在なボタン（例えばスナップボタン等）で同ボタンの凹状部３１は補強用テープ生地２５側に固定してあり、また中央側縁部２１側には凸状部３２を固定してあり、凹状部３１及び凸状部３２から形成された係止自在なボタン３０を介して前身頃生地１０、１１の前立部２０、２１を開閉自在となるようにしてある。
【００１０】
３５、３６は夫々前身頃生地１０、１１の上方部で且つ脇部側に設けた開口部で、同開口部３５、３６には夫々係止自在なボタン３８を設けてある。尚、図４の如く前身頃生地１１の開口部３６における切開部４０、４１側には二重に折り曲げたテープ生地４２、４３を夫々前身頃生地１１、１と一体的に縫着４５、４６してある。またテープ生地４２、４３側には夫々係止自在なボタン３８の凹状部４７及び凸状部４８を固着してあり、同ボタン３８を介して開口部３６を開閉自在となるようにしてある。尚、股部７には、股部用襠８を前身頃生地１０の下方部に公知の手段で適宜縫着してあり、更にフード３の下端部周縁は、前身頃生地１０、１１及び後身頃生地１２の上方端縁側に適宜接続、縫着するようにしてある。
【００１１】
【発明の効果】
以上の如く、本発明では、太幅及び細幅状前身頃生地の前立部２０、２１を胴部２の脇部側で開閉自在となるように構成したので、胴部２や足部５、６の開閉や取り扱いが極めて容易となり、また開閉自在な前立部２０、２１が胴部２の脇部側に位置することにより、保温性が増して腹部の冷えが少なくなる効果が得られるのである。
【００１２】
更に足部５、６を夫々袋状に形成したことにより、足先の冷えが防止され、保温性に富んだおくるみが得られ、また胴部の前身頃両脇部に開口部３５、３６を設けて手の出し入れを容易にしたので、手の動きが自由になり、おくるみ内における乳幼児の身体の動きがより活発になり、特に手足の運動が自由にできるようにしたことにより、運動量が増えて乳幼児の発育が大いに促進される効果が得られるのである。
【図面の簡単な説明】
【図１】本発明におけるおくるみの概略正面図である。
【図２】本発明におけるおくるみの概略背面図である。
【図３】本発明におけるおくるみの胴部側の一部を展開した状態の概略斜視図である。
【図４】図１のＸ―Ｘ断面における縫着説明用概略断面図である。
【符号の説明】
１    おくるみ
２    胴部
３    帽子
５、６  足部
８    股部用襠
１０、１１  前身頃生地
１２  後身頃生地
３５、３６  開口部
【図１】
2004346465.tif 000003
【図２】
2004346465.tif 000004
【図３】
2004346465.tif 000005
【図４】
2004346465.tif 000006